(57)【要約】  【課題】背もたれをバックフレームにサポートシートが張られた構成にしているロッキング椅子において、美感に優れたランバーサポート機構を提供する。  【手段】背もたれ５はバックフレーム１３とサポートシート１４とから成っており、バックフレーム１３は左右サイドメンバー１３ａを有している。サポートシート１４のランバーサポート部１４ａの左右両端部の後ろにランバーパッド１５が個別に配置されている。ランバーパッド１５はリアリンク２２の起立部２２ａに取り付けられており、ロッキング時には起立部２２ａが背支柱１０に対して相対的に後退動する。ランバーパッド１５は左右に分離しているため外観を外観を悪化させることがなく、かつ、身体が当たる突き上げ感も防止できる。【選択図】図３
2010099104.tif 000002
【特許請求の範囲】
【請求項１】
座と背もたれとを有しており、前記背もたれは、着座した人の腰部に当たるランバーサポート部を有しており、前記背もたれのランバーサポート部を後ろから高さ調節自在な押圧手段で支持している、
という椅子であって、
前記押圧手段は、背もたれの中間部を挟んで左右両側に配置された２つのランバーパッドに分離されており、左右のランバーパッドには人が上下動するための操作部を設けている、
背もたれ付き椅子。
【請求項２】
前記背もたれは、前後に開口したバックフレームに可撓性のサポートシートを張った構造である一方、前記ランバーパッドの前面は、側面視と平面視との両方において前向き突状に湾曲した形態である、
請求項１に記載した背もたれ付き椅子。
【請求項３】
前記バックフレームの左右部分は上下長手のサイドメンバーで構成されており、前記サポートシートはサイドメンバーの外端面に取り付けられていると共にサイドメンバーの前面を覆っており、かつ、前記ランバーパッドはサイドメンバーに近接して配置されている、
請求項２に記載した背もたれ付き椅子。
【発明の詳細な説明】
【技術分野】
【０００１】
本願発明は、背もたれにランバーサポート機能を持たせている椅子に関するもので、特に、背もたれに可撓性のサポートシート（ネット状材、メッシュ状材、網状材と呼ぶことも可能である）を使用しているランバーサポート機能付き椅子を好適な対象にしている。
【背景技術】
【０００２】
椅子において、例えば特許文献１，２に例示するように、背もたれ又は座をフレームにネット状（或いはメッシュ状）のサポートシートが張られた構造として、使用者の身体をサポートシートで受けることが行われている。座や背もたれにサポートシートを使用する利点として、通気性に優れている点や適度の弾性があってクッション性に優れている点が挙げられる。
【０００３】
他方、椅子においては、近年、使用者の腰部（特に第３腰椎を中心にした部分）を後ろから支えることの重要性が認識されており、そこで、背もたれの下部に、側面視で前向き凸状に湾曲したランバーサポート部を設けることが一般化している。
【０００４】
そして、ネット状のサポートシートを使用した背もたれにランバーサポート機能を持たせることも行われており、この場合、基本的には、サポートシートが張られているバックフレームのうち着座した人の腰の当たりに位置する部分を側面視で前向き凸状に湾曲した形態とすることにより、サポートシートにランバーサポート部を形成しているが、ランバーサポート機能をより強く発揮させるために、サポートシートの裏側に押圧手段（押圧部材）を高さ調節可能に配置することも行われている。その一例が特許文献１に開示されている。
【特許文献１】特開２００４−４９６５８号公報
【特許文献２】特開２００２−１１９３６６号公報
【発明の開示】
【発明が解決しようとする課題】
【０００５】
ところで、特許文献２ではネット状のサポートシートを押す押圧部材を備えているが、この押圧部材はサポートシートの裏側に大きく広がる状態で配置されている。他方、ネット状のサポートシートは程度の差はあっても裏側が透けて見えるものであり、このため、特許文献１のようにネット状材の裏側にランバーサポート部材が配置されているとこれが前から透けて見え、また、裏側からは完全に露出して見えることになるが、このようにランバーサポート部材が目立ち過ぎると必ずしも美観が良くないという問題があった。
【０００６】
本願発明は、このような現状に鑑み成されたものであり、より改善さされたランバーサポート機構を提供せんとするものである。
【課題を解決するための手段】
【０００７】
本願発明は、座と背もたれとを有しており、前記背もたれは、着座した人の腰部に当たるランバーサポート部を有しており、前記背もたれのランバーサポート部を後ろから高さ調節自在な押圧手段で支持している、という椅子を対象にしている。そして、請求項１の発明では、前記押圧手段は、背もたれの中間部を挟んで左右両側に配置された２つのランバーパッドに分離されており、左右のランバーパッドには人が上下動するための操作部を設けている。
【０００８】
請求項２の発明は請求項１の好適な展開例であり、請求項１において、前記背もたれは、前後に開口したバックフレームに可撓性のサポートシートを張った構造である一方、前記ランバーパッドの前面は、側面視と平面視との両方において前向き突状に湾曲した形態になっている。
【０００９】
請求項３の発明は請求項２の具体例である。すなわち請求項１において、前記バックフレームの左右部分は上下長手のサイドメンバーで構成されており、前記サポートシートはサイドメンバーの外端面に取り付けられていると共にサイドメンバーの前面を覆っており、かつ、前記ランバーパッドはサイドメンバーに近接して配置されている。
【発明の効果】
【００１０】
本願発明では、背もたれのランバーサポート部を押す（支える）押圧手段は左右のランバーパッドに分離しているため、椅子の背面視においてランバーパッドはさほど目立つことはなく、このため美感に優れている。
【００１１】
特に、請求項２のよう背もたれにサポートシートを使用した場合、サポートシートが透けて見える素材であっても椅子の前方視（フロントビュー）においてランバーパッドが目立つことはないため椅子を全体としてスッキリとしたデザインと成すことができるのであり、従って、本願発明はメッシュ状等のサポートシートを使用した場合により真価が発揮されると言える。また、本願発明ではランバーパッドは個別に配置されいるため、上下動をスムースに行える利点もある（左右に長いとこじれる場合がある。）。
【００１２】
さて、着座者の腰や背中は当然ながら背もたれに当たるが、一般には背もたれの横幅は人の胴部の横幅よりも大きい寸法に設定されており、このため、背もたれのうち左右両側の部分は人が接触していないことが多い。また、人の背中や腰部は平面視で丸みを持っているものであり、この面から見ても、背もたれのうち左右両側の部分は人が接触していないことが多い。
【００１３】
そして、従来は、ランバーサポート部を支える押圧部材は人の身体が背もたれに当てる部分に配置していることが多く、このため、人の背部や腰部は背もたれを介して押圧部材に当たっていることが多い。この場合、背もたれがインナーショルにクッションを張った構造である場合は押圧部材が人の身体に突き上げ感を与えることは少ないが、背もたれがサポートシート方式である場合は、サポートシートは薄いため押圧部材の当たりの感触が人の身体に伝わることになり、このため違和感を与えることが懸念される。
【００１４】
他方、本願発明では押圧手段は左右のランバーパッドで構成されているため、ランバーパッドは背もたれのうち人の身体が殆ど当たらない左右端部に配置することができ、その結果、使用者がランバーパッドの当たりの感覚を受けることを防止又は著しく抑制して快適な使用感を得ることが可能になる。
【００１５】
背もたれをサポートシート方式にした場合、サポートシートは狭い部分に荷重が集中すると破れ易くなる虞がある。この点、請求項２のようにランバーパッドに側面視と平面視との両方で丸みを持たせると、サポートシートとランバーパッドとの接触面積を大きくできると共にサポートシートの撓みの曲率を大きくできるため、サポートシートの耐久性を向上できる。また、ランバーパッドを上下動させるに際して摩擦抵抗を小さくできるため、ランバーパッドの上下等操作もスムースに行える。
【００１６】
請求項２の場合は、ランバーパッドは例えば正面視で円形や楕円形の形状を採用することも可能であるが、第１実施形態のように上下に長い形状を採用すると、サポートシートを上下長い範囲にわたって適切な張り状態に保持できる利点がある。また、上下に長い形状を採用すると、ランバーパッドの当たり感を使用者に伝えることなくランバーパッドとサポートシートとの接触面積を大きくできるため、サポートシートの耐久性を確保する点で特に優れている。
【００１７】
サポート材をバックフレームる取り付ける手段として様々の態様があるが、請求項２のようにサポートシートをサイドメンバー（バックフレーム）の外端面に取り付けると、背もたれの正面視での面積をそのままサポートシートによる身体の支持面積として活用できるため、肩幅の大きい人も安定的に支持される利点がある。更に、ランバーパッドはサポートシートの支持機能を損なうことなく、できるだけ背もたれの左右外側寄りに配置することができるのであり、この面からも、使用者がランバーパッドの当たり感を受けることを防止して快適な使用感を得ることができる。
【発明を実施するための最良の形態】
【００１８】
次に、本願発明の実施形態を図面に基づいて説明する。本実施形態は、事務用に多用されている回転椅子に適用しており、ず１〜図１１では第１実施形態を示し、図１２では第２実施形態を示している。以下の説明では方向を特定するための左右の文言を使用するが、この左右の方向は、着座した人が向いた方向を基準にしている。まず、第１実施形態を説明する。
【００１９】
(1).第１実施形態の概要
まず、図１〜図６に基づいて第１実施形態に係る椅子の概要を説明する。図１のうち（Ａ）は椅子の斜視図で（Ｂ）は背もたれの部分的な一部破断正面図、図２は側面図、図３は背面図、図４及び図５は前方から見た分離斜視図、図６はロッキング機構を説明するための分離斜視図である。
【００２０】
例えば図１〜３に示すように、椅子は、主要要素として、脚支柱２（ガスシリンダ）を有する脚装置１、脚支柱２の上端に固定されたベース３、ベース３の上方に配置された座４、背もたれ５、オプション品として背もたれ５に取付けられたヘッドレスト装置６を備えている。脚１は放射状に延びる複数本の枝足７を備えており、各枝足７の先端にはキャスタを設けている。
【００２１】
ベース３の左右両側には左右一対の揺動フレーム８が配置されている。揺動フレーム８は、非ロッキング時に水平に近い姿勢で後傾している基部９とその後端から立ち上がった背支柱１０とから成っている。そして、揺動フレーム８はその前端部を中心にして後傾動（回動）するように、基部９の前端部がベース３に左右長手の支軸部１１で連結されている。揺動フレーム８は例えばアルミダイキャストのような金属成形品を採用しているが、樹脂成形品で良いし、或いは、板金製品を採用することも可能である。左右の揺動フレーム８は、基部９と背支柱１０とが連接したコーナー部においてジョイントフレーム１１で連結されている。
【００２２】
背もたれ５は、正面視略四角形のバックフレーム１３にサポートシート１４が張られた構成であり、バックフレーム１３は揺動フレーム１０の支柱１０にビスで固定されている（詳細は後述する。）。バックフレーム１３は、着座者の腰部に当たる部分が側面視で最も前端となるように側面視で緩く湾曲しており、従って、サポートシート１４（或いは背もたれ５）はランバーサポート部１４ａを有している。サポートシート１４におけるランバーサポート部１４ａの左右両側部には裏側からランバーパッド１４が当たっている。なお、サポートシート１４は平面視で前向き凹状に凹んでいる。また、本実施形態のサポートシート１４は縦長の疎部と密部とが左右方向に交互に配置された縦縞模様の外観を呈しており、疎部では前後に透けて見える。
【００２３】
バックフレーム１３は樹脂の成形品であり、例えば図４に示すように、上下方向に長く延びる左右サイドメンバー１３ａと、左右サイドメンバー１３ａの上端に繋がったアッパーメンバー１３ｂと、左右サイドメンバー１３ａの下端に繋がったロアメンバー１３ｃとから成っている。従って、バックフレーム１３は正面視で略四角形の形態を成している。アッパーメンバー１３ｂ及びロアメンバー１３ｃは平面視で前向き凹状に緩く湾曲している。
【００２４】
既述のとおり、揺動フレーム１０はその前端部を中心にして後傾するようにベース３に支軸部１１で連結されているが、本実施形態では、ロッキング用ばね手段として、支軸部１１に内蔵したトーションバーを採用している。トーションバーはその左右中間部がベース３に回転不能に保持されており、左右両端部は揺動フレーム８の前端部に固定されている。このため、揺動フレーム８はトーションバーをねじり変形させながら後傾する。
【００２５】
支軸部１１はベース３の左右外側に大きく突出しており、このため揺動フレーム８もベース３のかなり外側に配置されている。但し、例えば図３（Ｂ）から理解できるように、揺動フレーム８は座４の左右外側面よりも内側に位置している。従って揺動フレーム８が人の歩行の邪魔になるようなことはない。
【００２６】
座４は、樹脂製のインナーシェル（図示せず）とその上面に張ったクッション、及びインナーシェルを支持するアウターシェル１６（図６参照）を有している。本願発明との関係は薄いので詳細は省略するが、座４のアウターシェル１６はその下方に配置した中間部材１７に前後位置可能に取り付けられており、中間部材の前部には前ブラケット部１８が形成されていて、この前ブラケット部１８とベース３とがフロントリンク２０で連結されている。フロントリンク２０はベース３に挿通した前支軸２０′に回動可能に取り付けられている。フロントリンク２０の上端は前後長手の補助枠材２１に連結されている。補助枠材２１は中間部材１７に前後スライド可能でに保持されており、かつ、補助枠材２１は座４（アウターシェル１９）と一体に動く。
【００２７】
図４〜６に示すように、揺動フレーム１０の内側面にはリアリンク２２が配置されている。リアリンク２２は揺動フレーム８に似た側面視略Ｌ形の形態であり、起立部２２ａが揺動フレーム８における背支柱１０の内面に沿って延びており、かつ、リアリンク２２は起立部２２ａの付け根よりもやや手前側の部位において枢支ピン２３（図４参照）。揺動フレーム８に連結されている。リアリンク２１の前端は上向きに突出しており、これが補助枠材２１の後端部にリアピン２４で連結されている。
【００２８】
従って、背もたれ５（及び揺動フレーム８）が後傾すると座４は後退しつつ後傾する。揺動フレーム８のおおよそ前後中間部の内側面には水平に対してやや後傾した姿勢のガイド長穴が空いている一方、座４が取り付けられている中間部材にはガイド長穴にスライド自在に嵌まるガイドピン２５（図５，７参照）を設けている。ガイドピン２５がガイド長穴でガイドされることにより、座４は独自に後退及び後傾することなく、揺動フレーム８との連動関係が強制されている。
【００２９】
着座した人が背もたれ５にもたれ掛かると、リアリンク２２の起立部２２ａも後傾するが、背支柱１０に対しても相対的に後傾する。すなわち、背支柱１０が後傾する割合よりもリアリンク２２の起立部２２ａが後傾する割合が大きい。そして、リアリンク２２における起立部２２ａの上端部に、既述したランバーパッド１５を高さ調節可能に取り付けている。従って、ロッキングに際してランバーパッド１５は背支柱１０に対して相対的に後退することになり、このため、サポートシート１４はロッキングするとテンションが緩む。
【００３０】
さて、非ロッキング状態で人がパソコン操作等の執務・作業を行う場合、上半身はサポートシート１４のランバーサポート部１４ａで腰部を後ろから支えているのが好ましい。従って、非ロッキング状態では、ランバーサポート部１４ａは側断面視で前向き凸にかなり突出しているのが好ましい。他方、ランバーサポート部１４ａが大きく突出した状態のままでロッキング状態に移行すると、腰部が過度に突き上げられる虞がある。そこで本実施形態では、ロッキング時にはランバーパッド１５を背支柱１０に対して相対的に後退させてサポートシート１４のテンションを緩めているのである。
【００３１】
ヘッドレスト装置６は、バックフレーム１３におけるサイドメンバー１３ａの左右内側面から立ち上がった左右のヘッド支柱２７を有しており（図１（Ａ）や図４では片方のヘッド支柱１３ｂしか表示していない）、ヘッド支柱２７にヘッドレスト２８が高さ調節可能に取り付けられている。
【００３２】
ヘッド支柱２７はその下端寄りの部位を中心にして前後に回動するようにピン（或いはビン部）でサイドメンバー１３ａに連結されており、かつ、ヘッド支柱２７の下端は、回動吸収装置２９を介してリアリンク２２の起立部２２ａに連結されている。ロッキングに際してはヘッド支柱２７はその上部が手前に移動するように回動する。従って、着座した人は、ロッキング状態のままで頭を起こすことなくパソコンのディスプレイを楽に見ることができたり、読書に際して本を持ち上げる必要がないといった利点がある。また、回動吸収装置２９にはばねが内蔵されており、ヘッド支柱２７はばねに抗して後傾動させることができる。
【００３３】
(2).ランバーパッドの周辺部
次に、従前の図に加えて図７以下の図面も参照してランバーパッド１５の周辺部を説明する。図７のうち（Ａ）はバックフレーム１３の側面図、（Ｂ）はランバーパッド１５の平面図、（Ｃ）はランバーパッド１５の正面図、図８のうち（Ａ）は要部の分離側面図、（Ｂ）は要部の分離斜視図、図９のうち（Ａ）は背支柱１０の上部の斜視図、（Ｂ）はバックフレーム１３におけるサイドメンバー１３ａの破断斜視図、図１０は（Ａ）は非ロッキング状態での部分側面図、（Ｂ）はロッキング状態での部分側面図、図１１は図１０においてランバーパッド１５を少し下方にずらした状態での XI-XI視断面図である。まず、揺動フレーム８とジョイントフレーム１２について説明する。
【００３４】
既述のとおり揺動フレーム８はアルミの成形品であり、例えば図９（Ａ）に示すように、揺動フレーム８の基部９は内側に開口した概ね樋状に形成されていてその内部に補強リブを設けている。また、揺動フレーム８の基部９のうち前後略中間部には、外向きに開口すると共にやや外側に突出した角形穴部３１（図４参照）が形成されている。この角形穴部３１は肘掛け装置を取り付けるためのものであり、肘掛け装置を取り付けない場合はカバー３２（例えば図５参照）で塞がれている。
【００３５】
例えば図６に示すよう、揺動フレーム８の基部９には、リアリンク２２を覆うための下インサイドカバー３４を設けている。例えば図９や図１１に明示するように、背支柱１０は側板３５と背面板３６とを有している。側板３５は平面視で前後方向に延びているが、背面板３６は平断面視において背もたれ５の中心に行くに従って後ろにずれるような傾斜にしており、従って、背支柱１０は平断面視において変形Ｌ形になっている。背支柱１０における側板３５の前端には低い内向きのフロントリブ３７が形成されており、従って、側板３５の内側は浅い溝状の形態を成している。そして、側板３５の内側には、フロントリブ３７と同じ程度の高さの補強リブ３８の群を形成している。
【００３６】
背支柱１０を変形Ｌ形に形成しているのは、側板３５と背面板３６とで囲われた空間にリアリンク２２の起立部２２ａを配置するためである。リアリンク２２の起立部２２ａは上インサイドカバー３９で覆われている。例えば図９（Ａ）に示すように、背支柱１０における背面板３６の上部には、上インサイドカバー３９を取り付けるためのブラケット部４０を設けている。また、背支柱１０における背面板３６には、上下に長く延びる内向きのリアリブ４１を形成している。
【００３７】
既述のとおり、ヘッド支柱２７はリアリンク２２の後傾動に連動して前傾動するものでり、回動吸収装置２９がリアリンク２２にける起立部２２ａの上端に連結されている。そして、ヘッドレスト装置６を取り付けない場合もあり、この場合は、例えば図１１（Ａ）に示すように背支柱１０の上端には天キャップ４２が装着されている。背支柱１０における背面板３６の上端部内面にには、天キャップ４２を取り付けるための係止部４３を設けている。
【００３８】
例えば図１１に示すように、バックフレーム１３のサイドメンバー１３ａは揺動フレーム８の背支柱１０に左右外側から重なっている。サイドメンバー１３ａは左右外側に向けて前後幅が徐々に小さくなる略台形の断面形状であり、かつ、前面も背面も背もたれ５の中心部に近づくほど後ろにずれるように後ろ向きに傾斜している。
【００３９】
バックフレーム１３を構成する各メンバーの外周面は平坦面になっている。そして、図１１に代表して明示するように、各メンバーの外側面（バックフレーム１３の外周面）には溝条４６が長く延びて形成されており、サポートシート１４の終縁に固定された縁部材４７が溝条４６に嵌め込まれている。なお、縁部材４７は各メンバーの箇所ごとに分断されている。
【００４０】
サポートシート１４がバックフレーム１３の外周面に取り付けられているため、背もたれ５の前面の面積の全体が着座面になっており、このため、肩幅の大きい人も安定的に支持される。また、バックフレーム１３はサポートシート１４の後ろに隠れるため（透けては見える）、恰も背もたれ５の全体がサポートシート１４で構成されているかのような外観を呈しており、このため独特の美感が顕れている。
【００４１】
サポートシート１４がバックフレーム１３の外周面に取り付けられているため、背もたれ５の前面の面積の全体が着座面になっており、このため、肩幅の大きい人も安定的に支持される。また、バックフレーム１３はサポートシート１４の後ろに隠れるため（透けては見える）、恰も背もたれ５の全体がサポートシート１４で構成されているかのような外観を呈しており、このため独特の美感が顕れている。
【００４２】
そして、例えば図１０に示すように、サイドメンバー１３ａのうち背支柱１０に重なる部分は内向きに開口した溝状になっており、内部には多数の補強リブ４８を設けている。これは、例えば肉厚をできるだけ均等化して成形時のヒケを防止するためである。
【００４３】
図１１に示すように、背支柱１０はビス４９とナット５０とで背支柱１０に締結されている。ビス４９は背支柱１０の側板３５に内側から挿通されており、ナット５０はサイドメンバー１３ａに形成した前向き開口のナット穴５１に嵌め込まれて回転不能に保持されている。ナット穴５１は手前に開口しているので、ナット穴５１はサポートシート１４で隠れて殆ど視認できず、従って美感上の問題はない。サイドメンバー１３ａは上下２カ所の位置で背支柱１０に固定しており、例えば図５では、サイドメンバー１３ａのビス挿入穴５２を示している。
【００４４】
(4).ランバーパッド
次に、ランバーパッド１５を説明する。ランバーパッド１５は樹脂製品であり、例えば図７に示すように、上下長手で側面視及び平面視で前向き突状に湾曲している。このため、サポートシート１４は特定部位に応力が集中することなく円滑に支持されている。そして、ランバーパッド１５のうち左右外端部にはリアリンク２２の起立部２２ａに前から嵌まる溝形の受け部５４が後ろ向きに突設されている。
【００４５】
図８（Ｂ）に示すように、受け部５４の内底面には山形のストッパー突起５５が形成されている一方、リアリンク２２の起立部２２ａにはストッパー突起が嵌まる凹所５６を多段に形成している。ランバーパッド１５はサポートシート１４のテンションによってリアリンク２２の起立部２２ａに押されており、このため凹所５６がごく浅くてもランバーパッド１５は下向きずれ不能に保持されている。
【００４６】
また、ランバーパッド１５の背面には、操作部の一例として、人が指で摘まみ得る横向きの操作片５７を一体に形成している。従って、椅子の使用者は好みや体格等に応じてランバーサポート１４の高さ位置を調節できる（操作片５７は着座したまま後ろでで操作できる。）。図７，８に示すように、受け部５４を構成する一方の板材の下端部でかつ後端部には内向きの規制爪５８を形成している一方、リアリンク２２における起立片２２ａには、規制爪５８が上下動自在に移動しうる切欠き部５９を形成している。
【００４７】
切欠き部５９で規制爪５８の上下移動範囲が規制されることでランバーパッド１５の上下動ストロークが規制されると共に、ランバーパッド１５は落下不能に保持されている。従って、切欠き部５９と規制爪５８とはランバーパッド１５のストローク規制手段と落下防止手段との機能を果たしている。上インサイドカバー３９の内面には、ランバーパッド１５が後退したときに受け部６３を安定的に保持するスペーサ６０を配置している。
【００４８】
さて、図１１に明示するように、正面視でランバーパッド１５は背支柱１０と部分的に重なるように配置されており、従って、ランバーパッド１５は背もたれ５の左右端部に寄って配置されている。従ってランバーパッド１５が大きく目立つことはなくて美感に優れている。特に、椅子のバックビューにおいてランバーパッド１５は目立たずにサポートシート１４が強調されているため、シンプルな外観を呈している。また、バックフレーム１３の前面は左右内側に行くに従って後ろにずれるように傾斜しているため、人のもたれ掛かりによってサポートシートが後ろに伸び変形することが許容されていると共に、サポートシート１４への負担も軽減されている。
【００４９】
また、ランバーパッド１５は側面視と平面視とで湾曲していることと（特に側面視での湾曲が重要である）、ランバーパッド１５か上下に長くて前面の面積が大きいこととにより、サポートシート１４の狭い箇所に強い力が集中することがなくて、サポートシート１４は高い耐久性を確保できる。また、ランバーパッド１５は最大幅に対して上下長さが３倍程度の上下に細長い形態であるが、正面視で外端面１５ａは鉛直に近い形態でるあのに対して、内端面は外向き凸条に緩く曲がった形状であり、正面視においも丸みを持っている。
【００５０】
このような形状により、サポートシート１４の形状に倣って適切な支持機能が発揮される。つまり、サポートシート１４はバックフレーム１３のリアリンク２２の作用によって下に行くほど平面視での湾曲の度合いは大きくなっているが、実施形態のようにランバーパッド１５に正面視においても丸みを持たせると、サポートシート１４が後ろ向きに湾曲することが下に行くほど容易になっているのであり、このため、サポートシート１４の立体的な曲がりの形態にフィットしているのである。
【００５１】
(5).第２実施形態
図１２では第２実施形態を示している。この実施形態も基本的には第１実施形態と同じであた、第１実施形態との違として、まず、バックフレーム１３のロアメンバー１３ｃがサイドメンバー１３ａとは別部材なっている点が挙げられる。また、この実施形態ではランバーパッド１５は板状に形成されており、ランバーパッド１５とサポートシート（図示せず）との間に、上下に長い可撓性シート６２が配置されている。可撓性シート６２はサイドメンバー１３ａにビス等で固定されているが、ランバーパッド１５と一緒に上下動させても良い。
【００５２】
(6).その他
本願発明は上記の実施形態の他にも様々に具体化できる。例えば、適用対象は必ずしも回転椅子に限定されるものではなく、劇場用椅子やベンチのような固定式椅子にも適用できる。背もたれはサポートシートの方式が好適であるが、インナーシェルとクッションとを有する方式を排除するものではない。敢えて述べるまでもないが、ランバーパッド１５はロッキング時に後退する必要はないのであり、従って、ランバーパッドをバックフレームのサイドメンバーに上下動自在に取り付けるといったことも可能である。ランバーパッドは例えばブロック状に形成して人が手を掛け得るように形成することも可能である。
【図面の簡単な説明】
【００５３】
【図１】（Ａ）は実施形態に係る椅子の斜視図で（Ｂ）は背もたれの部分的な一部破断正面図である。
【図２】椅子の側面図である。
【図３】椅子の背面図である。
【図４】前方から見た分離斜視図である。
【図５】前方から見た分離斜視図である。
【図６】ロッキング機構を説明するための分離斜視図である。
【図７】（Ａ）はバックフレームの側面図、（Ｂ）はランバーパッドの平面図、（Ｃ）はランバーパッドの正面図である。
【図８】（Ａ）は要部の分離側面図、（Ｂ）は要部の分離斜視図である。
【図９】（Ａ）は背支柱の上部の斜視図、（Ｂ）はバックフレームにおけるサイドメンバーの破断斜視図である。
【図１０】（Ａ）は非ロッキング状態での部分側面図、（Ｂ）はロッキング状態での部分側面図である。
【図１１】図１０においてランバーパッドを少し下方にずらした状態での XI-XI視断面図である。
【図１２】第２実施形態を示す図である。
【符号の説明】
【００５４】
１  脚装置
３  ベース
４  座
５  背もたれ
８  揺動フレーム
１０  揺動フレームの背支柱
１３  バックフレーム
１３ａ  バックフレームのサイドメンバー
１４  サポートシート
１４ａ  ランバーサポート部
１５  ランバーパッド
５４  受け部
５７  操作部の一例としての操作片
【図１】
2010099104.tif 000003
【図２】
2010099104.tif 000004
【図３】
2010099104.tif 000005
【図４】
2010099104.tif 000006
【図５】
2010099104.tif 000007
【図６】
2010099104.tif 000008
【図７】
2010099104.tif 000009
【図８】
2010099104.tif 000010
【図９】
2010099104.tif 000011
【図１０】
2010099104.tif 000012
【図１１】
2010099104.tif 000013
【図１２】
2010099104.tif 000014